(57)【特許請求の範囲】
【請求項１】
識別子ごとに物件を特定する工程をプロセッサーに実行させ、
前記識別子ごとに管理され、複数の管理組合または管理会社から、居住者へのお知らせを特定する複数のテキストデータを収集する工程をプロセッサーに実行させ、
指定された広告に紐付けられた前記識別子に基づき、前記複数のテキストデータの中から特定のテキストデータを選択する工程をプロセッサーに実行させ、
前記広告を掲載する広告物の表面の決められた位置に、選択された前記テキストデータで特定される文字列を位置決めする印刷データを生成する工程をプロセッサーに実行させ、
位置決めされた前記文字列を含む前記広告物の前記印刷データをプリンターに向けて出力する工程をプロセッサーに実行させる
ことを特徴とする広告物の製造方法。
【請求項２】
識別子ごとに物件を特定する工程をプロセッサーに実行させ、
前記識別子ごとに管理され、複数の管理組合または管理会社から、居住者へのお知らせを特定する複数のテキストデータを収集する工程をプロセッサーに実行させ、
指定された広告に紐付けられた前記識別子に基づき、前記複数のテキストデータの中から特定のテキストデータを選択する工程をプロセッサーに実行させ、
前記広告を掲載する広告物の表面の決められた位置に、選択された前記テキストデータで特定される第１文字列を位置決めする印刷データを生成する工程をプロセッサーに実行させ、
位置決めされた前記第１文字列を含む前記広告物の前記印刷データをプリンターに向けて出力する工程をプロセッサーに実行させ、
前記広告物の前記表面の決められた位置に、ポスティング広告会社を特定する第２文字列を位置決めする印刷データを生成する工程をプロセッサーに実行させ、
位置決めされた前記第２文字列を含む前記広告物の前記印刷データをプリンターに向けて出力する工程をプロセッサーに実行させる
ことを特徴とする広告物の製造方法。
【発明の詳細な説明】
【技術分野】
【０００１】
本発明は、郵便受けに投入され、広告を提示する紙片を備える広告物の製造方法に関する。
【背景技術】
【０００２】
マンションなどの住居で、郵便受けに配布されるポスティング広告は一般に知られる。ポスティング広告では許可なく無断で郵便受けにチラシ（プリント広告物）が投入されるので、マンションの居住者から印象が悪い。その結果、多くのマンションではポスティング広告の投函は拒否される。こうした拒否にも拘わらずチラシが投函されることで、広告主に対して苦情が発生したり、居住者の心証は害され広告主のブランドは毀損するかもしれない。
【先行技術文献】
【特許文献】
【０００３】
【特許文献１】特開２００２−１２３７４０号公報
【特許文献２】特開２００９−２４８３８４号公報
【発明の概要】
【発明が解決しようとする課題】
【０００４】
郵便受けには、日々、郵便物や不在通知が埋もれるほどに多くのポスティングチラシが投函される。ポスティングチラシの中には、居住者にとって価値ある情報が掲載されることもあるものの、日々選別の手間に煩わされることで居住者は全てのポスティングチラシに目を通さずに廃棄し始める。期待されるほどに、ポスティング広告は広告効果を達成することができない。
【０００５】
本発明は、郵便受けに投函されても、これまで以上に広告効果を高めることができる広告物の製造方法を提供することを目的とする。
【課題を解決するための手段】
【０００６】
本発明の第１側面によれば、識別子ごとに管理され、複数の管理組合または管理会社から、居住者へのお知らせを特定する複数のテキストデータを収集する工程と、指定された広告に紐付けられた前記識別子に基づき、前記複数のテキストデータの中から特定のテキストデータを選択する工程と、広告物の表面の決められた位置に、選択された前記テキストデータで特定される文字列を位置決めする位置決め工程と、位置決めされた前記文字列を含む前記広告物を少なくとも部分的に印刷する工程とを備える広告物の製造方法は提供される。
【０００７】
広告物の製造にあたって物件ごとに「居住者へのお知らせ」は収集される。ここでは、個々の管理組合または管理会社はこれまでと変わらず「居住者へのお知らせ」を特定するテキストデータを生成するだけで済み、管理組合または管理会社の負担が増大するわけではない。特定の物件に対して広告が指定されると、識別子に基づき広告に当該物件に固有の「居住者へのお知らせ」は紐付けられることができる。広告には物件に固有に「居住者へのお知らせ」は組み込まれることができる。１広告に紐付けられた識別子が変更されれば、テキストデータは簡単に入れ替えられることができる。広告主の意向に応じて複数の物件で広告は共通に利用されることができる。１広告に対してテキストデータが入れ替えられるだけで広告物は製造されることができることから、同一の物件で「お知らせ」の内容を変えながら同一の広告は重ねて配布されることができる。広告主やポスティング広告会社からすると広告物の製造にあたって作業の負担は軽減されることができる。
【０００８】
製造された広告物では目に付く位置に管理組合からの「お知らせ」が提示されることから、居住者は広告物の廃棄を思いとどまる。広告が居住者の目に触れる機会は増加する。しかも、管理組合のお墨付きなので居住者は広告物の投函に対して寛容な感覚を抱くことができる。こうして広告物の投函に対して寛容な感覚が醸成された後に広告は居住者の目に触れるので、広告は居住者に良好に受け入れられることができる。これまで以上に広告物の広告効果は高められることができる。広告主の満足度は高められることができる。
【０００９】
本発明の第２側面によれば、識別子ごとに管理され、複数の管理組合または管理会社から、居住者へのお知らせを特定する複数のテキストデータを収集する工程と、指定された広告に紐付けられた前記識別子に基づき、前記複数のテキストデータの中から特定のテキストデータを選択する工程と、広告物の表面の決められた位置に、選択された前記テキストデータで特定される第１文字列を位置決めする工程と、前記広告物の前記表面の決められた位置に、ポスティング広告会社を特定する第２文字列を位置決めする工程と、位置決めされた前記第１文字列および前記第２文字列を含む前記広告物を少なくとも部分的に印刷する工程とを備える広告物の製造方法は提供される。
【００１０】
広告物の製造にあたって物件ごとに「居住者へのお知らせ」は収集される。ここでは、個々の管理組合または管理会社はこれまでと変わらず「居住者へのお知らせ」を特定するテキストデータを生成するだけで済み、管理組合または管理会社の負担が増大するわけではない。特定の物件に対して広告が指定されると、識別子に基づき広告に当該物件に固有の「居住者へのお知らせ」は紐付けられることができる。広告には物件に固有に「居住者へのお知らせ」は組み込まれることができる。１広告に紐付けられた識別子が変更されれば、テキストデータは簡単に入れ替えられることができる。広告主の意向に応じて複数の物件で広告は共通に利用されることができる。１広告に対してテキストデータが入れ替えられるだけで広告物は製造されることができることから、同一の物件で「お知らせ」の内容を変えながら同一の広告は重ねて配布されることができる。しかも、「お知らせ」の内容が入れ替わっても「お知らせ」にはポスティング広告会社を特定する第２文字列が常に組み合わせられることができる。広告主やポスティング広告会社からすると広告物の製造にあたって作業の負担は軽減されることができる。
【００１１】
製造された広告物では目に付く位置に管理組合からの「お知らせ」が提示されることから、居住者は広告物の廃棄を思いとどまる。広告が居住者の目に触れる機会は増加する。しかも、管理組合のお墨付きなので居住者は広告物の投函に対して寛容な感覚を抱くことができる。こうして広告物の投函に対して寛容な感覚が醸成された後に広告は居住者の目に触れるので、広告は居住者に良好に受け入れられることができる。これまで以上に広告物の広告効果は高められることができる。広告主の満足度は高められることができる。ここでは、ポスティング広告会社を特定する文字列は全広告物に共通に印刷されることから、ポスティング広告会社を特定する文字列は頻繁に居住者の目に触れることができる。「居住者へのお知らせ」とポスティング広告会社との関係性は居住者の記憶に刻み込まれることができる。ポスティング広告会社に対して信頼感は醸成されていくことができる。
【００１２】
本発明の第３側面によれば、紙面の一端から他端に向かって印刷され、ポスティング広告会社を特定する文字列を表示する第１紙片と、前記第１紙片の他端から連続し、紙面に印刷され管理組合または管理会社から居住者へのお知らせを特定する文字列を表示する第２紙片と、前記第２紙片に後続し、前記第１紙片および前記第２紙片に結合されて前記第１紙片および前記第２紙片とともに郵便受けに投入され、広告のコンテンツを提示する第３紙片とを備えるプリント広告物は提供される。
【００１３】
第１紙片、第２紙片および第３紙片がこの順番で並べられることで、第１紙片の一端を始点に、ひとの自然な注視点の動きに合わせて、ポスティング広告会社を特定する文字列、「お知らせ」を特定する文字列および広告は順番に配置されることができる。これによって第１紙片の一端から広告まで流れに沿って視点の逸脱は防止されることができる。第１紙片の文字列は出所表示機能を有し、出所表示機能に応じて居住者はプリント広告物の正当性を認識することができ、居住者はプリント広告物の投函に対して寛容な感覚を抱くことができる。第２紙片の文字列は管理組合からの「お知らせ」を提示することでプリント広告物の正当性を強化することができ、居住者はプリント広告物の投函に対して寛容の度合いをさらに強めることができる。こうしてプリント広告物の投函に対して寛容な感覚が醸成された後に広告は居住者の目に触れるので、広告は居住者に良好に受け入れられることができる。その結果、これまで以上にプリント広告物の広告効果は高められることができる。
【発明の効果】
【００１４】
本発明によれば、郵便受けに投函されても、これまで以上に広告効果を高めることができる広告物の製造方法は提供される。
【図面の簡単な説明】
【００１５】
【図１】本発明の一実施形態に係るポスティングチラシの全体像を概略的に示す平面図である。
【図２】ポスティングチラシの分解図である。
【図３】第１紙片の平面図である。
【図４】第２紙片に含まれる広告紙の平面図である。
【図５】はがきの平面図である。
【図６】配達時の動作を概略的に示す概念図である。
【図７】プリント広告物製造システムの構成を概略的に示すブロック図である。
【図８】「お知らせ」データベースの構造を概略的に示す模式図である。
【図９】コンテンツデータベースの構造を概略的に示す模式図である。
【発明を実施するための形態】
【００１６】
以下、添付図面を参照しつつ本発明の一実施形態を説明する。
【００１７】
図１は本発明の一実施形態に係るポスティングチラシ（広告物）１１の全体像を概略的に示す。ポスティングチラシ１１は１つの透明封筒１２を備える。透明封筒１２は例えばＯＰＰ（二軸延伸ポリプロピレン）から成形される。ただし、透明封筒１２にはＯＰＰに代えてＣＰＰ（無軸延伸ポリプロピレン）が用いられてもよく、透明封筒１２に代えて紙封筒や窓付き封筒が用いられてもよい。
【００１８】
透明封筒１２は長方形の輪郭を有する。透明封筒１２の３辺は折り重ねられて袋状に形成されればよい。透明封筒１２の残りの１辺は開放されたまま維持されてもよく粘着材や粘着テープで閉じられてもよい。透明封筒１２の大きさは例えばマチを考慮しＡ４サイズの普通紙を１０枚程度収容する大きさに形成されればよい。ただし、透明封筒１２の大きさは３つ折りＡ４サイズや２つ折りＡ４サイズであってもよい。
【００１９】
図２に示されるように、透明封筒１２には、ポスティング広告の名称（ブランド名）「Ｏｆｆｉｃｉａｌ  Ｐｏｓｔｉｎｇ（登録商標）」「オフィシャルポスティング」を特定する文字列（以下、「名称文字列」という）１３、および、「居住者へのお知らせ」を特定する文字列（以下、「「お知らせ」文字列」という）１４を提示する表紙片１５と、広告のコンテンツ（以下「広告コンテンツ」という）を提示する１枚以上のコンテンツ紙片１６とが収容される。「居住者へのお知らせ」は、マンションといった集合住宅の管理組合や棟の所有者、管理組合（または所有者）から管理業務を委託された管理会社から伝えられ掲載される。ここでは、表紙片１５は、図３に示されるように、紙面の一端から他端に向かって印刷される名称文字列１３を表示する第１紙片１５ａと、第１紙片１５ａの他端から連続し、紙面に印刷される「お知らせ」文字列１４を表示する第２紙片１５ｂとから構成される。名称文字列１３や「お知らせ」文字列１４は例えば紙面にインクで印刷されればよい。名称文字列１３および「お知らせ」文字列１４は図柄として構成されてもよい。名称文字列１３は、ポスティング広告会社を特定する文字列に相当する。名称文字列１３は、ポスティング広告の名称に代えて、ポスティング広告会社の名称そのものを特定する文字列１７を含んでもよい。
【００２０】
「お知らせ」文字列１４は、管理組合または管理会社から「居住者へのお知らせ」を特定する文字列に相当する。「居住者へのお知らせ」事項には、管理業務に関して管理会社から通知される「エレベーター点検のお知らせ」や「停電のお知らせ」、「給水の停止のお知らせ」その他の連絡事項１４ａのほか、地域のコミュニティの催しや防災訓練の実施、その他の管理組合からの連絡事項１４ｂなどが含まれる。なお、管理会社からの連絡事項と管理組合からの連絡事項との間には厳密な区分けはない。いずれか一方がいずれか他方として解釈されてもよい。また、広告コンテンツ以外であって居住者に対する連絡事項であればいずれも「居住者へのお知らせ」に含まれてよい。
【００２１】
その他、第１紙片１５ａの紙面には、「管理組合からの許可」を表現する文字列１８が印刷されてもよい。文字列１８は、名称文字列１３とともに掲載されてもよく名称文字列１３に代えて掲載されてもよい。文字列１８はポスティング広告会社の名称そのものを含んで名称文字列１３として機能してもよい。「管理組合からの許可」は、管理組合によって管理される物件に設置される郵便受けに対するポスティングチラシの配布の許可を意味する。こうした許可は管理組合およびポスティング広告会社の契約に基づき裏付けられることができる。
【００２２】
コンテンツ紙片１６は、第２紙片１５ｂに後続する第３紙片を構成する。コンテンツ紙片１６の紙面には個々に広告主から提供されるコンテンツ１９が印刷される。図４に示されるように、コンテンツ１９は、例えば、地域の商店の広告、宅配ピザその他宅配飲食物の広告、スポーツクラブの広告、その他の一般的なコンテンツを含む。コンテンツ１９は、例えば紙葉にインクで印刷される文字列や図柄で構成される。
【００２３】
ここでは、透明封筒１２の働きで表紙片１５およびコンテンツ紙片１６は相互に結合される。こうしてコンテンツ紙片１６は、第１紙片１５ａおよび第２紙片１５ｂに結合されて第１紙片１５ａおよび第２紙片１５ｂとともに郵便受けに投函される。コンテンツ紙片１６では、１広告主に対して１枚の紙葉が用いられてもよく、１広告主に対して複数枚の紙葉が用いられてもよく、複数の広告主に対して１枚の紙葉が用いられてもよい。
【００２４】
表紙片１５は、コンテンツ紙片１６の表面に表向きで重ねられる。複数枚のコンテンツ紙片１６が表紙片１５に結合される場合には、表紙片１５は、最上に重ねられるコンテンツ紙片１６の表面に表向きに重ねられる。したがって、表紙片１５の名称文字列１３および「お知らせ」文字列１４は透明封筒１２から透けて視認されることができる。コンテンツ紙片１６は表紙片１５の背後（裏）に隠されることができる。
【００２５】
透明封筒１２には、図２に示されるように、ポスティング広告会社に宛てて宛名書きされたはがき２２が同封されてもよい。図５に示されるように、はがき２２は例えば料金受取人払いはがきであればよい。はがき２２には、予め、ポスティングチラシ１１の投函不要を特定する文字列２３が印刷される。このはがき２２が郵便局に投函されることで、居住者はポスティング広告会社に対してポスティングチラシ１１の投函不要の意思を表明することができる。
【００２６】
図６に示されるように、ポスティングチラシ１１の配布にあたって、ポスティング広告会社に雇われた配達員ＨＢは例えば特定のユニフォーム２４を着用する。配達員ＨＢは、マンションの１階に設置された郵便受け群２５にポスティングチラシ１１を投函していく。ポスティングチラシ１１は、郵便受け群２５に含まれる個々の郵便受け２５ａの受け口２６から投函される。個々の郵便受け２５ａは当該集合住宅に存在する全ての居室に紐付けられる。紐付けにあたって例えば郵便受け２５ａの正面扉２７には少なくとも部屋番号が記載される。正面扉２７には部屋番号に加えて居住者の世帯名が記載されてもよい。
【００２７】
ここでは、ユニフォーム２４には、ポスティング広告の名称「Ｏｆｆｉｃｉａｌ  Ｐｏｓｔｉｎｇ」を特定する文字列２８や、許可された人員であることを示す「ＳＴＡＦＦ」の文字列２９が表示される。ユニフォーム２４は、普段着やスーツの上から着用可能な上着型に形成される。「Ｏｆｆｉｃｉａｌ  Ｐｏｓｔｉｎｇ」の文字列２８や「ＳＴＡＦＦ」の文字列２９は胸部および背中のいずれにも印刷されてもよくそれらの一方のみに印刷されてもよい。
【００２８】
本実施形態に係るポスティングチラシ１１では目に付く位置に管理組合から「居住者へのお知らせ」が提示されることから、居住者はポスティングチラシ１１の廃棄を思いとどまる。コンテンツ１９が居住者の目に触れる機会は増加する。しかも、管理組合のお墨付きなので居住者はポスティングチラシ１１の投函に対して寛容な感覚を抱くことができる。こうしてポスティングチラシ１１の投函に対して寛容な感覚が醸成された後に広告コンテンツは居住者の目に触れるので、広告コンテンツは居住者に良好に受け入れられることができる。これまで以上にポスティングチラシ１１の広告効果は高められることができる。広告主の満足度は高められることができる。ここでは、ポスティング広告会社を特定する文字列１３は全ポスティングチラシ１１に共通に印刷されることから、ポスティング広告会社を特定する文字列１３は頻繁に居住者の目に触れることができる。「居住者へのお知らせ」とポスティング広告会社との関係性は居住者の記憶に刻み込まれることができる。ポスティング広告会社に対して居住者の信頼感は醸成されていくことができる。
【００２９】
本実施形態では表紙片１５およびコンテンツ紙片１６は１つの透明封筒１２に挿入されて相互に結合される。仮に郵便受け２５ａに他のチラシが投函されたとしても、ポスティング広告の名称（やポスティング広告会社の名称）、「居住者へのお知らせ」が目印となるので居住者は簡単に価値ある広告を選別することができる。
【００３０】
本実施形態では、ポスティングチラシ１１は、複数の広告主から提供される複数の広告コンテンツを含む。チラシは広告主ごとに別々に投函されるのではなく、１つに纏められるので、郵便受け２５ａの中でポスティングチラシ１１は郵便物や不在通知から良好に分離されることができる。チラシの山に郵便物や不在通知などが埋もれることはない。
【００３１】
ポスティングチラシ１１の透明封筒１２には、当該ポスティング広告会社宛てであって当該ポスティングチラシ１１の投函不要の意思を表示する料金受取人払いはがき１８がさらに同封される。居住者は、通信費を気にかけることなく、ポスティング広告会社にポスティングチラシ１１の投函不要の意思を通知することができる。こうした心遣いは居住者に心理的にさらに良好な印象を与えることができる。
【００３２】
最初のコンテンツ紙片１６（第３紙片）は第２紙片１５ｂから連続して表紙片１５に組み込まれてもよい。表紙片１５には１枚のコンテンツ紙片１６のみが一体化されてもよい。その他、表紙片１５およびコンテンツ紙片１６は、封筒に代えてホチキス留めやのり付け、その他の留め具で結合されてもよく、１つの冊子に形成されてもよい。
【００３３】
次にポスティングチラシ１１の製造方法を説明する。ここでは、図７に示されるように、プリント広告物製造システム３１は、例えばインターネット３２に接続されてポスティング広告会社によって所有される第１端末３３と、インターネット３２に接続されて管理組合または管理会社によって所有される第２端末３４と、インターネット３２に接続されて広告主によって所有される第３端末３５とを備える。
【００３４】
第１端末３３は、「お知らせ」収集手段３６、コンテンツ登録手段３７、物件特定手段３８、コンテンツ特定手段３９および表紙生成手段（位置決め手段）４１として機能するプロセッサー（演算処理装置）４２と、プロセッサー４２に接続されて、一時的にアプリケーションプログラムやデータを格納するメモリー４３と、プロセッサー４２に接続されて、プロセッサー４２に対してデータの入力を実現するユーザーインターフェイス４４と、「お知らせ」データベース４５、コンテンツデータベース４６、レイアウトデータ４７およびポスティングチラシ製造アプリケーションプログラム４８を格納する記憶装置４９と、画面上に画像を表示するディスプレイパネル５１とを備える。第１端末３３は、例えばデスクトップパソコン、ノートブックパソコン、タブレット端末、スマートフォン端末といった電子機器で構成されることができる。第１端末３３では、デスクトップパソコンのようにプロセッサー４２を収容する筐体から分離された筐体にディスプレイパネル５１が収容されてもよく、ノートブックパソコンのようにプロセッサー４２を収容する筐体にヒンジで結合された筐体にディスプレイパネル５１が収容されてもよく、タブレット端末やスマートフォン端末のように１つの筐体にプロセッサー４２やディスプレイパネル５１が収容されてもよい。ユーザーインターフェイス４４には、ディスプレイパネル５１の画面上に映し出される画像に連動して操作されるキーボードやマウス、タッチスクリーンパネルなどが用いられることができる。第１端末３３には、プリンタードライバーの働きに応じてテキストデータおよびイメージデータに基づき文字や像をプリントアウトするプリンター（印刷手段）５２が接続される。
【００３５】
「お知らせ」収集手段３６は、複数の管理組合または管理会社から、居住者へのお知らせを特定するテキストデータ（以下、「「お知らせ」データ」という）を収集する。「お知らせ」データは、個々の物件ごとに、当該物件に居住する居住者に通知される「居住者へのお知らせ」を表現する。「お知らせ」収集手段３６はインターネット３２経由で第２端末３４から「お知らせ」データを取得する。「お知らせ」収集手段３６は、例えば電子メールソフトウエアに基づきテキストデータを収集してもよく、第２端末３４から「お知らせ」データベース４５に直接にテキストデータの登録を許容してもよい。後者の場合には、「お知らせ」データベース４５へのアクセスにあたって個々の管理組合または管理会社にはログインＩＤおよびパスワードが設定されればよい。
【００３６】
収集された「お知らせ」データは「お知らせ」データベース４５に登録される。図８に示されるように、「お知らせ」データ５４は識別子５５ごとに管理される。識別子５５は例えば１つの物件を特定する。ここでは、識別子５５は「エリアコウコク  マンション」といった物件名を特定するテキストデータで構成される。
【００３７】
コンテンツ登録手段３７は、コンテンツデータベース４６に、例えば個々の広告主から提供される広告コンテンツのイメージデータ（以下、「コンテンツデータ」という）を登録する。コンテンツデータは、個々の物件ごとに（あるいは居住者の属性に応じて）コンテンツ１９を表現する。コンテンツ登録手段３７はインターネット３２経由で第３端末３５からコンテンツデータを取得する。コンテンツ登録手段３７は、例えば第３端末３５からコンテンツデータベース４６に直接にイメージデータの登録を許容すればよい。コンテンツデータベース４６へのアクセスにあたって個々の広告主にはログインＩＤおよびパスワードが設定されればよい。
【００３８】
図９に示されるように、コンテンツデータベース４６では個々のコンテンツデータ５６に１以上の識別子５５が紐付けられる。したがって、コンテンツデータ５６ごとに物件は特定されることができる。その一方で、物件が指定されると、物件に割り当てられたコンテンツデータ５６は特定されることができる。ここでは、コンテンツデータ５６は広告主５７ごとに管理される。１広告主５７に対して物件ごとに相違するコンテンツデータ５６が登録されてもよい。
【００３９】
物件特定手段３８は、特定の物件を指定する操作信号に基づき物件を特定する。物件特定手段３８は、例えば物件の特定にあたってディスプレイパネル５１の画面に「お知らせ」データ５４のリストを表示することができる。リストには「お知らせ」データ５４ごとに「お知らせ」データ５４の管理にあたって用いられる識別子５５が含まれることができる。ユーザーインターフェイス４４に基づき特定の識別子５５は指定されることができる。こうして特定の物件を指定する操作信号は生成されることができる。識別子５５が指定されると、「お知らせ」データベース４５に基づき、識別子５５に関連づけられたテキストデータは特定されることができる。
【００４０】
コンテンツ特定手段３９は、特定のコンテンツ１９を指定する操作信号に基づきコンテンツデータ５６を特定する。コンテンツ特定手段３９は、例えば広告コンテンツの特定にあたってディスプレイパネル５１の画面にコンテンツデータ５６のリストを表示することができる。リストには、コンテンツデータ５６ごとに広告主５７を特定する文字列や、コンテンツデータ５６に紐付けられた識別子５５が含まれることができる。画面の画像に連動するユーザーインターフェイス４４に基づき特定の広告コンテンツは指定されることができる。こうして特定の広告コンテンツを指定する操作信号は生成されることができる。コンテンツデータ５６が指定されると、コンテンツデータベース４６に基づき、指定されたコンテンツデータ５６に紐付けられた識別子５５は特定されることができる。
【００４１】
表紙生成手段４１は、識別子５５に基づき複数の「お知らせ」データ５４の中から特定の「お知らせ」データ５４を選択し、表紙片１５の紙面の決められた位置に選択された「お知らせ」データ５４で特定される文字列（以下、「「お知らせ」文字列１４」という）を位置決めする。表紙生成手段４１は、表紙片１５内で「お知らせ」文字列１４の位置を特定するレイアウトデータ４７を取得する。表紙生成手段４１はレイアウトデータ４７で特定される表紙片１５の画像にテキストデータの文字列を埋め込む。ここでは、レイアウトデータ４７で、表紙片１５の紙面の決められた位置に、ポスティング広告会社を特定する文字列（以下、「名称文字列１３」という）が埋め込まれる。レイアウトデータ４７で特定される構図に従って「お知らせ」文字列１４がプリントされると、表紙片１５に「お知らせ」文字列１４は表示されることができる。
【００４２】
プリンター５２は、レイアウトデータ４７およびコンテンツデータ５６に基づきポスティングチラシ１１をプリントアウトする。ポスティングチラシ１１の第１紙片１５ａおよび第２紙片１５ｂにはそれぞれ名称文字列１３および「お知らせ」文字列１４が印刷される。コンテンツ紙片１６（第３紙片）には広告コンテンツが印刷される。こうしてレイアウトデータ４７にコンテンツデータ５６が組み合わせられると、ポスティングチラシ１１内の決められた位置に名称文字列１３は位置決めされることができる。ここでは、プリンター５２は、広告物の表面の決められた位置に、ポスティング広告会社を特定する文字列を位置決めする第２位置決め手段として機能する。
【００４３】
いま、第１端末３３でポスティングチラシ製造アプリケーションプログラム４８が実行されると、プロセッサー４２で「お知らせ」収集手段３６，コンテンツ登録手段３７、物件特定手段３８、コンテンツ特定手段３９および表紙生成手段４１は確立される。ディスプレイパネル５１の画面には「お知らせ」データ５４のリストおよびコンテンツデータ５６のリストが表示される。例えば管理組合または管理会社から新たに「お知らせ」データ５４が「お知らせ」データベース４５に登録されていれば、ポスティング広告会社の担当者は「お知らせ」データ５４のリストから該当する「お知らせ」データ５４を指定すればよい。「お知らせ」データ５４の指定は物件特定手段３８で実現される。例えば広告主との契約に基づきポスティングチラシ１１の配布の時期が近づいた場合には、ポスティング広告会社の担当者はコンテンツデータ５６のリストから該当するコンテンツデータ５６を指定すればよい。コンテンツデータ５６の指定はコンテンツ特定手段３９で実現される。ここでは、居住者の属性に応じてコンテンツデータ５６ごとに予め物件の識別子５５は紐付けられる。個々の物件向けに最適なコンテンツ１９は提供されることができる。こうして居住者の属性に応じて効果的な広告は配布されることができる。
【００４４】
「お知らせ」データ５４の指定にあたって担当者は物件の識別子５５を確認する。広告コンテンツごとに予め物件は紐付けられることから、物件の識別子５５に基づき当該物件向けにコンテンツデータ５６は特定されることができる。このとき、担当者はこの機会に配布したいコンテンツデータ５６を指定する。コンテンツデータ５６が指定されると、表紙生成手段４１は、コンテンツデータ５６に紐付けられた識別子５５に基づき「お知らせ」データベース４５から「お知らせ」データ５４を取得する。すなわち、指定されたコンテンツデータ５６に紐付けられた識別子５５に基づき複数のテキストデータの中から特定のテキストデータは選択される。
【００４５】
表紙生成手段４１は、レイアウトデータ４７に基づきコンテンツデータ５６に「お知らせ」データ５４を結合する。表紙生成手段４１はレイアウトデータ４７で特定される表紙片１５の画像に「お知らせ」データ５４の文字列を埋め込む。レイアウトデータ４７に従って表紙片１５内で「お知らせ」文字列１４は位置決めされる。
【００４６】
プリンター５２は、レイアウトデータ４７およびコンテンツデータ５６に基づきポスティングチラシ１１をプリントアウトする。ポスティングチラシ１１の第１紙片１５ａおよび第２紙片１５ｂにはそれぞれ名称文字列１３および「お知らせ」文字列１４が印刷される。コンテンツ紙片１６（第３紙片）には広告コンテンツが印刷される。こうしてレイアウトデータ４７にコンテンツデータ５６が組み合わせられると、ポスティングチラシ１１内の決められた位置に名称文字列１３は位置決めされることができる。
【００４７】
コンテンツデータ５６の指定にあたって担当者は広告主５７および識別子５５を確認する。広告コンテンツごとに予め物件は紐付けられることから、コンテンツデータ５６が指定されると、表紙生成手段４１は、コンテンツデータ５６に紐付けられた識別子５５に基づき「お知らせ」データベース４５から「お知らせ」データ５４を取得する。すなわち、指定されたコンテンツデータ５６に紐付けられた識別子５５に基づき複数のテキストデータの中から特定のテキストデータは選択される。
【００４８】
表紙生成手段４１は、レイアウトデータ４７に基づきコンテンツデータ５６に「お知らせ」データ５４を結合する。表紙生成手段４１はレイアウトデータ４７で特定される表紙片１５の画像に「お知らせ」データ５４の文字列を埋め込む。レイアウトデータ４７に従って表紙片１５内で「お知らせ」文字列１４は位置決めされる。
【００４９】
プリンター５２は、レイアウトデータ４７およびコンテンツデータ５６に基づきポスティングチラシ１１をプリントアウトする。ポスティングチラシ１１の第１紙片１５ａおよび第２紙片１５ｂにはそれぞれ名称文字列１３および「お知らせ」文字列１４が印刷される。コンテンツ紙片１６（第３紙片）には広告コンテンツが印刷される。こうしてレイアウトデータ４７にコンテンツデータ５６が組み合わせられると、ポスティングチラシ１１内の決められた位置に名称文字列１３は位置決めされることができる。
【００５０】
ポスティングチラシ１１の製造にあたって物件ごとに「お知らせ」データ５４は収集される。ここでは、個々の管理組合または管理会社はこれまでと変わらず「居住者へのお知らせ」を特定するテキストデータを生成するだけで済み、管理組合または管理会社の負担が増大するわけではない。
【００５１】
特定の物件に対してコンテンツデータ５６が指定されると、識別子５５に基づきコンテンツデータ５６に当該物件に固有の「お知らせ」データ５４は紐付けられることができる。ポスティングチラシ１１には物件に固有に「居住者へのお知らせ」は組み込まれることができる。１コンテンツデータ５６に紐付けられた識別子５５が変更されれば、「お知らせ」データ５４は簡単に入れ替えられることができる。広告主の意向に応じて複数の物件で広告コンテンツは共通に利用されることができる。１広告に対して「お知らせ」データ５４が入れ替えられるだけでポスティングチラシ１１は製造されることができることから、同一の物件で「お知らせ」文字列１４を変えながら同一の広告コンテンツは重ねて配布されることができる。しかも、「お知らせ」文字列１４の内容が入れ替わっても「お知らせ」文字列１４には常に名称文字列１３が組み合わせられることができる。広告主やポスティング広告会社からするとポスティングチラシ１１の製造にあたって作業の負担は軽減されることができる。
【００５２】
「お知らせ」文字列１４の印刷にあたって表紙片１５の印刷用紙には予め名称文字列１３が印刷されていてもよい。この場合には、印刷用紙に「お知らせ」データ５４に基づき「お知らせ」文字列１４が印字されると、ポスティングチラシ１１内で名称文字列１３は位置決めされることができる。その他、「お知らせ」文字列１４の印刷にあたって「お知らせ」文字列１４のイメージデータが用いられてもよい。こうしたイメージデータは、「お知らせ」データ５４に基づきプリントアウトされた紙片のスキャンで生成されることができる。名称文字列入りの印刷用紙にスキャンデータに基づき「お知らせ」文字列１４が印字されると、ポスティングチラシ１１内で名称文字列１３は位置決めされることができる。こうしたスキャンデータの生成および名称文字列１３の位置決めは例えば複写機の働きで実現されることができる。
【００５３】
「お知らせ」収集手段３６、コンテンツ登録手段３７、物件特定手段３８、コンテンツ特定手段３９および表紙生成手段４１は、インターネット３２に接続されて例えばＡＳＰ（アプリケーションサービスプロバイダー）によって所有されるクラウドサーバーに構築されてもよい。この場合には、「お知らせ」データベース４５およびコンテンツデータベース４６はクラウドサーバーに接続される記憶装置内に構築されればよい。第１端末３３は、クラウドサーバー内の物件特定手段３８に対し物件の指定にあたってユーザーインターフェイスを提供すればよく、クラウドサーバー内のコンテンツ特定手段３９に対しコンテンツの指定にあたってユーザーインターフェイスを提供すればよい。第２端末３４はクラウドサーバー内の「お知らせ」収集手段３６に対し「お知らせ」データ５４の登録にあたってユーザーインターフェイスを提供すればよい。第３端末３５はクラウドサーバー内のコンテンツ登録手段３７に対しコンテンツデータ５６の登録にあたってユーザーインターフェイスを提供すればよい。
【符号の説明】
【００５４】
１１…ポスティングチラシ（プリント広告物）、１３…第２文字列並びにポスティング広告会社を特定する文字列（名称文字列）、１４…文字列または第１文字列並びにお知らせを特定する文字列（「お知らせ」文字列）、１５ａ…第１紙片、１５ｂ…第２紙片、１６…第３紙片（コンテンツ紙片）、１９…コンテンツ、２５ａ…郵便受け、５４…テキストデータ（「お知らせ」データ）、５５…識別子。
【要約】
【課題】郵便受けに投函されても、これまで以上に広告効果を高めることができる広告物の製造方法を提供する。
【解決手段】広告物の製造方法は、識別子ごとに管理され、複数の管理組合または管理会社から、居住者へのお知らせを特定する複数のテキストデータを収集する工程と、指定された広告に紐付けられた識別子に基づき、複数のテキストデータの中から特定のテキストデータを選択する工程と、広告物の表面の決められた位置に、選択されたテキストデータで特定される文字列を位置決めする位置決め工程と、位置決めされた文字列を含む広告物を少なくとも部分的に印刷する工程とを備える。
【選択図】図７【図１】
0006901106.tif 000002
【図２】
0006901106.tif 000003
【図３】
0006901106.tif 000004
【図４】
0006901106.tif 000005
【図５】
0006901106.tif 000006
【図６】
0006901106.tif 000007
【図７】
0006901106.tif 000008
【図８】
0006901106.tif 000009
【図９】
0006901106.tif 000010